(57)【特許請求の範囲】
【請求項１】
中央部に遊技盤が臨む開口を設けて額縁状に形成される前面枠と、前記前面枠の開口をガラス扉枠と共に覆う上球皿部材とを備え、前記上球皿部材は一側縁の上下部を前記前面枠の一側に軸着して自在に開閉しかつ取り外し可能に設けられるようにしたパチンコ遊技機において、
前記前面枠の一側に上向の軸杆を設け、また前記上球皿部材の裏面に可動しかつ可動することにより該上球皿部材の一側縁から離れる可動板を設け、前記上球皿部材の裏面の一側縁下部と前記可動板の一側縁下部とに互いに組み合わさって下端面が開放し前記軸杆の周囲を囲う所望形状の囲壁部を設け、
前記可動板の一側縁下部が前記上球皿部材の一側縁下部側に位置したとき、前記各囲壁部によって該軸杆が挿通し得る軸筒部が形成され、
前記可動板の一側縁下部が前記上球皿部材の一側縁下部側から離れたとき、前記軸筒部が分離して前記軸杆が該開放された軸筒部に該軸筒部の中心軸線方向に対し直交する方向から入れられかつ同方向から取り外すことができるようにしたことを特徴とするパチンコ遊技機。
【請求項２】
中央部に遊技盤が臨む開口を設けて額縁状に形成される前面枠と、前記前面枠の開口をガラス扉枠と共に覆う前面板とを備え、前記前面板の前面に上球皿部材と下球皿部材とが上下に一体に装着され、前記前面板は一側縁の上下部を前記前面枠の一側に軸着して自在に開閉しかつ取り外し可能に設けられるようにしたパチンコ遊技機において、
前記前面枠の一側に上向の軸杆を設け、また前記前面板の裏面に可動しかつ可動することにより該前面板の一側縁から離れる可動板を設け、前記前面板の裏面の一側縁下部と前記可動板の一側縁下部とに互いに組み合わさって下端面が開放し前記軸杆の周囲を囲う所望形状の囲壁部を設け、
前記可動板の一側縁下部が前記前面板の一側縁下部側に位置したとき、前記各囲壁部によって該軸杆が挿通し得る軸筒部が形成され、
前記可動板の一側縁下部が前記前面板の一側縁下部側から離れたとき、前記軸筒部が分離して前記軸杆が該開放された軸筒部に該軸筒部の中心軸線方向に対し直交する方向から入れられかつ同方向から取り外すことができるようにしたことを特徴とするパチンコ遊技機。
【請求項３】
中央部に遊技盤が臨む開口を設けて額縁状に形成される前面枠と、前記前面枠の開口をガラス扉枠と共に覆う上球皿部材とを備え、前記上球皿部材は一側縁の上下部を前記前面枠の一側に軸着して自在に開閉しかつ取り外し可能に設けられるようにしたパチンコ遊技機において、
前記前面枠の一側に上向の軸杆を設け、また前記上球皿部材の裏面に可動しかつ可動することにより該上球皿部材の一側縁から離れる可動板を設け、前記上球皿部材の裏面の一側縁下部に前記可動板と組み合わさって下端面が開放し前記軸杆の周囲を囲う所望形状の囲壁部を設け、
前記可動板の一側縁下部が前記上球皿部材の一側縁下部側に位置したとき、前記囲壁部によって該軸杆が挿通し得る軸筒部が形成され、
前記可動板の一側縁下部が前記上球皿部材の一側縁下部側から離れたとき、前記軸筒部が分離して前記軸杆が該開放された軸筒部に該軸筒部の中心軸線方向に対し直交する方向から入れられかつ同方向から取り外すことができるようにしたことを特徴とするパチンコ遊技機。
【請求項４】
中央部に遊技盤が臨む開口を設けて額縁状に形成される前面枠と、前記前面枠の開口をガラス扉枠と共に覆う前面板とを備え、前記前面板の前面に上球皿部材と下球皿部材とが上下に一体に装着され、前記前面板は一側縁の上下部を前記前面枠の一側に軸着して自在に開閉しかつ取り外し可能に設けられるようにしたパチンコ遊技機において、
前記前面枠の一側に上向の軸杆を設け、また前記前面板の裏面に可動しかつ可動することにより該前面板の一側縁から離れる可動板を設け、前記前面板の裏面の一側縁下部に前記可動板と組み合わさって下端面が開放し前記軸杆の周囲を囲う所望形状の囲壁部を設け、
前記可動板の一側縁下部が前記前面板の一側縁下部側に位置したとき、前記囲壁部によって該軸杆が挿通し得る軸筒部が形成され、
前記可動板の一側縁下部が前記前面板の一側縁下部側から離れたとき、前記軸筒部が分離して前記軸杆が該開放された軸筒部に該軸筒部の中心軸線方向に対し直交する方向から入れられかつ同方向から取り外すことができるようにしたことを特徴とするパチンコ遊技機。
【発明の詳細な説明】
【０００１】
【発明の属する技術分野】
本発明は、パチンコ遊技機の前面に打球発射部へ供給されるパチンコ球を貯留するための上球皿部材を容易に案内して取り付けられるようにしたパチンコ遊技機に関するものである。
【０００２】
【従来の技術】
従来、パチンコ遊技機は、例えば図１１に示すようにその前側に中央部に遊技盤１０１が臨む方形状の開口１０２を設けて額縁状に形成された前面枠１０３が配設され、該前面枠１０３には前記開口１０２を覆うようにしてガラス扉枠１０４および打球発射部へ供給されるパチンコ球を貯留するための上球皿部材１０５が装着されている。該上球皿部材１０５には、上球皿が取着される前板１０６の一側縁上部に軸支孔１０７が設けられ、また一側縁下部に上下に可動しかつ常態で引張スプリング１０８の引張力により付勢されて前記前板１０６の下端面から下方へ突出する軸杆１０９が設けられている。
一方、前記開口１０２の内周縁には縁金枠１１０が周設され、その開口側縁１１０ａの所定位置に軸支孔１１１が開設された水平な軸支板１１２が設けられ、また開口下縁１１０ｂの上面には軸孔１１３が設けられている。
【０００３】
そこで、パチンコ遊技機の組立時、またはパチンコホールでの稼動中に故障による点検のため一担取り外した上球皿部材１０５を取り付けるには、該上球皿部材１０５を前記開口１０２の下部前面に配置し、まず、その上部の軸支孔１０７に前記ガラス扉枠１０４の一側下端面から下方へ突設され、前記軸支孔１１１に嵌入された軸杆１１４を嵌入する。次に、下部の軸杆１０９を引張スプリング１０８の引張力に抗して引き上げておき、作業者の感に頼って軸杆１０９を放し該軸杆１０９を軸孔１１３に嵌入するようにしている。
【０００４】
【発明が解決しようとする課題】
ところが、前記上球皿部材１０５の取り付けにあっては、軸支板１１２から下方へ突出する軸杆１１４が外側から視認できることから軸支孔１０７への嵌入は容易にできるものの、開口下縁１１０ｂの軸孔１１３は上球皿部材１０５によって隠れ外側からほとんど見えず、しかも軸孔１１３が縁金枠１１０の前端縁側に寄せて設けられていることから、作業者の感に頼るというものの、軸杆１０９を放したとき該軸杆１０９が軸孔１１３に嵌入せずに縁金枠１１０の前端縁の前側に突出して外れてしまうといった事態が起き、このため何度も同じ動作を繰り返してやっと嵌入できることとなり、作業が面倒であって時間も掛かり、引いては作業の迅速化に支障を来す一要因になっていた。これは、特に軸孔１１３に対して軸杆１０９をその軸方向にスライドさせて嵌入させるといった構造に難点が有る。
そこで、本発明は上記課題を解決すべくなされたもので、前面枠一側と上球皿部材の一側縁下部との軸着部を外側から見易くすると共に軸着動作を容易にすることにより、上球皿部材が時間を掛けずに取り付けられ作業の迅速化を高めることができるパチンコ遊技機を提供することを目的とするものである。
【０００５】
【課題を解決するための手段】
かかる目的を達成するため、本発明に係るパチンコ遊技機は、中央部に遊技盤が臨む開口を設けて額縁状に形成される前面枠と、該前面枠の開口をガラス扉枠と共に覆う上球皿部材とを備え、該上球皿部材は一側縁の上下部を前面枠の一側に軸着して自在に開閉しかつ取り外し可能に設けられるようにしたパチンコ遊技機において、前記前面枠の一側に上向の軸杆を設け、また前記上球皿部材の裏面に可動しかつ可動することにより該上球皿部材の一側縁から離れる可動板を設け、上球皿部材の裏面の一側縁下部と可動板の一側縁下部とに互いに組み合わさって下端面が開放し前記軸杆の周囲を囲う所望形状の囲壁部を設け、可動板の一側縁下部が上球皿部材の一側縁下部側に位置したとき、各囲壁部または各囲壁部と上球皿部材または各囲壁部と上球皿部材と可動板により前記軸杆の周囲を囲い該軸杆が挿通し得る軸筒部が形成され、可動板の一側縁下部が上球皿部材の一側縁下部側から離れたとき、前記軸筒部が分離して前記軸杆が該開放された軸筒部に該軸筒部の中心軸線方向に対し直交する方向から入れられかつ同方向から取り外すことができるようにした。
【０００６】
そこで、前面枠に上球皿部材を取り付ける場合、まず上球皿部材の裏面に設けられる可動板をその一側縁下部が上球皿部材の一側縁下部から離れるように可動させる。これにより、軸筒部が分離して軸杆が該軸筒部の中心軸線方向に対し直交する方向から嵌入できるようになり、しかも、軸筒部は上球皿部材の裏面に設けられ上球皿部材を開いた状態では外側から見え易い。そして、上球皿部材の一側縁上部を前面枠の一側に軸着し、次に、前面枠の一側に上向に設けられた軸杆を分離して開放された軸筒部に該軸筒部の中心軸線方向に対し直交する方向から入れ、この状態で可動板をその一側縁下部が上球皿部材の一側縁下部側に位置するように可動させる。これにより、前記軸杆は各囲壁部または各囲壁部と上球皿部材または各囲壁部と上球皿部材と可動板により周囲が囲われる軸筒部に挿通され、上球皿部材が自在に開閉できるように取り付けられる。前記可動板の可動動作としては、上球皿部材の裏面と平行な方向であって横方向へのスライド動作、または支軸を中心とし上球皿部材の裏面と平行な方向への回動動作、更には可動板の裏面に直交する方向に回動する回動動作のいずれも可能である。
【０００７】
また、前記軸筒部は上球皿部材の裏面に囲壁部を設け、該囲壁部と可動板または前記囲壁部と上球皿部材と可動板により前記軸杆が挿通し得る軸筒部を形成するようにしても良い。更に、本発明は、前面枠の前面下部に前面板を開閉自在に装着し、該前面板の前面に上球皿部材と下球皿部材とが上下に一体に装着されたもの及び前面枠の取付構造についても適用可能である。
【０００８】
【発明の実施の形態】
以下、本発明に係るパチンコ遊技機の実施の形態を図面に基づき説明する。図１は本発明が適用されるパチンコ遊技機の正面図である。図において、１は機枠であり、該機枠１の前面に中央部に方形状の開口２を設けて額縁状に形成される前面枠３が開閉自在に装着されている。該前面枠３の裏側に前記開口２に臨む遊技盤４が配設され、また前記前面枠３の開口２には該開口２を覆うように上下に配置されるガラス扉枠５および上球皿部材６がそれぞれ装着されている。これらガラス扉枠５および上球皿部材６は前記開口２の一側に開閉自在に軸着され、しかも取り外し可能に設けられている。前記ガラス扉枠５に遊技盤４の前面を覆うガラス板７が嵌着され、また上球皿部材６の前面には打球発射部（図示せず。）に供給されるパチンコ球を貯留するための上球皿８が設けられている。また、前記前面枠３の前面下部に前記上球皿８から溢れるパチンコ球を貯留するための下球皿部材９が装着されている。１０はその一側で前面枠３の前面に装着される操作ハンドルである。
【０００９】
前記前面枠３の開口２の内周縁には縁金枠１１が周設され、図２に示すようにその一側である開口側縁１１ａの所定位置に軸孔１２を設けた水平な軸支板１３が取着され、該軸孔１２に前記ガラス扉枠５の一側下端面から下方へ突出する軸支杆１４が上方から嵌入される。また、該軸支杆１４と同一軸線上であって前記開口下縁１１ｂの上面に上向の軸杆１５が設けられている。
【００１０】
一方、前記上球皿部材６は合成樹脂製からなり、横長方形状の取付板１６の前面に上球皿８が取着され、更にその前面をカバー体１７で覆うようにしており、これらはいずれも取付板１６の裏側からビス止めすることにより取り付けられる。取付板１６の一側の上端角部に金属製の軸承板１８がビス１９止めされ、該軸承板１８の外側部、すなわち上球皿部材６の一側縁上部に位置して前記軸支板１３の軸支杆１４が挿通される軸支孔２０が設けられている。
【００１１】
しかして、前記取付板１６の裏面一側の下縁に沿って上球皿部材６の下部を軸着するための可動板２１が装着されている。該可動板２１は合成樹脂製であって横長方形状に形成され、所定位置に横長のガイド溝２２が開設されている。該ガイド溝２２にはカバー体１７に一体に設けられ取付板１６の裏側に突設される支持筒２３が臨むようになっている。該支持筒２３の先端にガイド溝２２より広幅の頭部を有するビス２４が螺合され、該ビス２４がガイド溝２２内を摺動して可動板２１が横方向へスライド動作するようにしている。そして、可動板２１の一側縁に後方へ屈曲する平面Ｌ型をなし側方が開口２５する囲壁部２６が一体に設けられている。また、前記取付板１６裏面の一側縁下部には開口２５と対応して該開口２５を塞ぐことができる囲壁部２７が後方へ一体に突設されている。
【００１２】
そこで、図３に示すように可動板２１が実線の位置、すなわちその一側縁が取付板１６の一側縁下部側に位置したとき、各囲壁部２６，２７と上球皿部材６すなわち取付板１６とにより周囲が囲われ前記開口下縁１１ｂの軸杆１５が挿通し得る軸筒部２８が形成される。また、可動板２１が図３鎖線位置、すなわちその一側縁が取付板１６の一側縁下部側から離れたとき、前記両囲壁部２６，２７がそれぞれ分かれて軸筒部２８が分離し、軸杆１５が横方向である軸筒部の中心軸線方向に対し直交する方向から取り外すことができるようになる。
【００１３】
前記可動板２１の他側には、上下一対のスリット２９，２９に挟まれて弾性が付与された摘み片３０が一体に設けられ、該摘み片３０の前面に係合ピン３１が突設されている。３２ａ，３２ｂは可動板２１が図３実線位置と鎖線位置にあるとき、前記係合ピン３１が係合して可動板２１の無用な動きを止めるため取付板１６に設けられた係合孔である。
【００１４】
そこで、パチンコ遊技機の組立時、またはパチンコホールでの稼動中に故障による点検のため一担取り外した上球皿部材６を取り付けるには、可動板２１をその一側縁が取付板１６の一側縁下部側から離れる、すなわち、軸筒部２８を構成する各囲壁部２６，２７がそれぞれ分かれるようにして止めておく。これにより、軸筒部２８が分離して軸杆１５が横方向である軸筒部の中心軸線方向に対し直交する方向から入れられるようになる。しかも、軸筒部２８は上球皿部材６の裏面に設けられているので、前面枠３の前面に取り付けられる上球皿部材６を開いた状態では見え易い。
【００１５】
そして、図４鎖線に示すように上球皿部材６の一側縁上部の軸支孔２０に軸支板１３から下方へ突設される軸支杆１４を挿通し、次に、図４実線に示すように前面枠３の一側に上向に設けられた軸杆１５を前記分離して開放された軸筒部２８、すなわち取付板１６側の囲壁部２７の内側に入れて配置する。この状態で、可動板２１を図５鎖線位置から実線位置へ可動させ、軸杆１５を各囲壁部２６，２７と取付板１６とで囲い軸筒部２８を形成する。これにより上球皿部材６が開閉自在に軸着されることとなる。
【００１６】
図６，図７は他の実施の形態に係るもので、取付板１６の一側裏面に装着される可動板２１ａが自在に回動するようになっている。すなわち、該可動板２１ａは上部を取付板１６の裏面に螺着された軸ピン３３により軸支され、取付板１６の裏面と平行な方向に回動しかつ回動することにより一側縁下部が取付板１６の一側縁下部側に位置するようになっている。そして、可動板２１ａの前面一側縁下部寄りに後方へ屈曲する平面Ｌ型をなし側方が開口２５する囲壁部２６が一体に設けられ、また取付板１６裏面の一側縁下部に開口２５と対応して該開口２５を塞ぐことができる囲壁部２７が設けられている。そして、図７実線に示すように可動板２１ａが可動してその一側縁下部が取付板１６の一側縁下部側に位置したとき、各囲壁部２６，２７と取付板１６とにより軸杆１５が挿通される軸筒部２８が形成される。また、可動板２１ａが図３鎖線位置、すなわちその一側縁が取付板１６の一側縁下部から離れたとき、前記両囲壁部２６，２７がそれぞれ分かれて軸筒部２８が分離し、軸杆１５が横方向から取り出すことができる。
【００１７】
前記可動板２１ａには、前記軸ピン３３を中心とする円弧状のガイド溝３４が開設されると共に該ガイド溝３４内にカバー体１７に一体に設けられ取付板１６の裏面から後方へ突出される一対のガイド片３５，３５が介装される。これらガイド片３５，３５は弾力性を有し、各ガイド片３５の外側面に前記ガイド溝３４の両側縁に設けた切欠３６，３６に係合し得る突子３７，３７が設けられている。そこで、可動板２１ａは各ガイド片３５を摘むことによって各突子３７と切欠３６との係合が外れ自在に回動でき、図７実線位置と鎖線位置にあるとき、前記各突子３７が各切欠３６に係合して可動板２１ａが無用に回動しないように仮保持される。このような構成であっても本実施と同様な作用・効果を得ることができる。
【００１８】
図８，図９も他の実施の形態に係るもので、可動板２１ｂが取付板１６に対し直交する方向に回動し得るようにしたものである。すなわち、可動板２１ｂはその一側縁全体に亘り後方へ屈曲する平面Ｌ型をなし側方が開口２５する囲壁部２６が一体に設けられており、他側縁には軸挿通孔３８が設けられ、取付板１６裏面の上下部に設けられた一対の突片３９，３９からそれぞれ下方または上方へ突設される支持軸４０，４０が前記軸挿通孔３８に挿通されている。また、前記取付板１６の裏面一側縁に前記囲壁部２６の開口２５と対応して該開口２５を塞ぐことができる囲壁部２７が設けられている。そして、両囲壁部２６，２７と取付板１６とで軸筒部２８が形成されるようになっている。この際、該軸筒部２８が上球皿部材６の上部の軸着部、すなわち軸支孔２０も兼用している。
【００１９】
前記可動板２１ｂのほぼ中央には円透孔４１が開設され、該円透孔４１の内周縁の上下部に該円透孔４１と連なる縦溝４２，４２が設けられている。
一方、図９に示すようにカバー体１７と一体に後方へ突出しかつ後端面に螺子孔４３を有する支持筒４４が設けられる。該支持筒４４の後端部は前記円透孔４１と対応位置し、取付板１６に開設された透孔４５に臨むようになっている。４６は、前記螺子孔４３にビス４７を螺合することにより前記円透孔４１を介して支持筒４４の後端面に回動自在に取着される円筒状のロック部材であり、前記ビス４７が挿通されるビス挿通孔４８を有すると共に外周に取付板１６側へ閉じた可動板２１ｂの裏面に当接し得る把手片４９，４９が設けられる。
【００２０】
前記ロック部材４６の各把手片４９は、該ロック部材４６を支持筒４４後端面に取着した状態で、可動板２１ｂの開閉動作に支障をきたさないようにその大きさが選ばれる。そこで、上球皿部材６を前面枠３に取り付けるときは、各縦溝４２，４２と把手片４９，４９を合致させた状態で可動板２１ｂを開き、取付板１６の一側縁に設けられた囲壁部２７の内側上部に軸支板１３から下方へ突出する軸支杆１４を、また囲壁部２７の内側下部に軸杆１５を入れ、この状態で可動板２１ｂを取付板１６裏面側へ回動して閉め、両把手片４９，４９を回動して可動板２１ｂの裏面に当接して無用に回動しないように保持する。これにより、両囲壁部２６，２７と取付板１６とで形成される軸筒部２８内に軸支杆１４と軸杆１５とが挿通され、上球皿部材６が回動自在に軸支される。この場合も本実施の形態と同様の作用・効果を得る。
【００２１】
図１０は軸筒部の他の実施の形態を示すものであり、図１０（ａ）は取付板１６裏面の一側縁下部に横方向に所定の間隔離して平板状の一対の囲壁部２６ａ，２６ａを一体に突設し、両囲壁部２６ａ，２６ａ間に開口２５を設け、可動板２１により前記開口２５を塞ぐことにより、両囲壁部２６ａ，２６ａと取付板１６と可動板２１とで軸筒部２８が形成されるようにしている。
【００２２】
図１０（ｂ）は、取付板１６裏面の一側縁下部に後方へ屈曲するＬ型の囲壁部２６ｂを設け、取付板１６と囲壁部２６ｂ先端との間に開口２５を設けるようにしており、一方、可動板２１裏面の一側縁下部に前方へ突出する囲壁部２７ａを突設し、該囲壁部２７ａで前記開口２５を塞ぐことにより、両囲壁部２６ｂ，２７ａと取付板１６とで軸筒部２８が形成されるようにしている。
【００２３】
図１０（ｃ）は、取付板１６裏面の一側下縁部に後方へ屈曲する平面半円弧状の囲壁部２６ｃを設けてその先端間に開口２５を設け、一方、可動板２１裏面の一側縁下部に前方へ屈曲する平面半円弧状の囲壁部２７ｂを突設し、該囲壁部２７ｂで前記開口２５を塞ぐことにより、両囲壁部２６ｃ，２７ｂとで軸筒部２８が形成されるようにしている。これら実施の形態は前記各可動板２１，２１ａ，２１ｂのいずれにも適用可能であること勿論である。また、前記各囲壁部２６，２６ａ〜２６ｃ，２７，２７ａ，２７ｂは取付板１６，可動板２１と別体に、しかも金属板により設けるようにしても良い。
【００２４】
また、以上説明した各実施の形態では、上球皿部材６または可動板２１，２１ａ，２１ｂの一側縁上部に軸支孔２０を設け、一方、前面枠３の一側に軸支板１３から下方へ突出する軸杆１４を設けたが、これら軸支孔２０と軸杆１４の取付位置を逆に設けるようにしても良い。
【００２５】
また、本発明にあっては、機枠の前面に前面枠が装着され、該前面枠の開口の一側に該開口を覆うガラス扉枠及び上球皿部材が開閉自在に装着され、該上球皿部材の一側縁下部が下球皿部材の上面に軸着されているパチンコ遊技機、および前面枠の一側に前記開口を覆うように装着され、かつ前面枠の前面の横幅方向の全域を覆うようにしたガラス扉枠および上球皿部材を備えたパチンコ遊技機についても適用可能である。また、前面枠の前面下部に前面板を開閉自在に装着し、該前面板の前面に上球皿部材と下球皿部材とが上下に一体に装着されたもの及び前面枠の取付構造についても本発明が適用可能である。
【００２６】
更に、前記上球皿部材は、詳細には、上球皿の前面をカバー体で覆っており、しかも該カバー体は前記上球皿の両側に張り出て、その裏側に取付板が取着された構成からなるが、この他に、取付板、所謂金属製の前板の前面に上球皿を装着したものなどについても本発明が適用可能であることは勿論である。
【００２７】
【発明の効果】
以上述べたように、本発明は遊技盤が臨む開口を設けた前面枠と、該前面枠の開口をガラス扉枠と共に覆う上球皿部材とを備え、該上球皿部材は一側縁の上下部を前面枠の一側に軸着して自在に開閉しかつ取り外し可能に設けられるようにしたパチンコ遊技機において、前記前面枠の一側に上向の軸杆を設け、また前記上球皿部材の裏面に可動しかつ可動することにより該上球皿部材の一側縁から離れる可動板を設け、上球皿部材の裏面の一側縁下部と可動板の一側縁下部とに互いに組み合わさって下端面が開放し前記軸杆の周囲を囲う所望形状の囲壁部を設けるようにしたので、可動板を可動することにより前記軸杆が軸筒部の中心軸線方向に対し直交する方向から入れたり取り出すことができる軸筒部が形成され、該軸筒部は、外側から見え易く、しかも軸杆が軸筒部の中心軸線方向に対し直交する方向から入れられ、それら軸着動作が極めて簡単かつ容易となり、手間が掛からず短時間で行なえる。これにより上球皿部材の取付作業が迅速に行なえるという効果を有する。
【図面の簡単な説明】
【図１】本発明に係るパチンコ遊技機の正面図。
【図２】同上球皿部材を取り外して示すパチンコ遊技機の要部の斜視図。
【図３】同要部の平面断面図。
【図４】同作用を示す要部の側面断面図。
【図５】同作用を示す要部の側面断面図。
【図６】他の実施の形態に係る上球皿部材を取り外して示すパチンコ遊技機の要部の斜視図。
【図７】同要部の平面断面図。
【図８】他の実施の形態に係る上球皿部材を取り外して示すパチンコ遊技機の要部の斜視図。
【図９】同要部の平面断面図。
【図１０】他の実施の形態に係る軸筒部を示す要部の平面断面図。
【図１１】上球皿部材を取り外して示す従来のパチンコ遊技機の要部の斜視図。
【符号の説明】
２                          開口
３                          前面枠
４                          遊技盤
５                          ガラス扉枠
６                          上球皿部材
１５                        軸杆
２１，２１ａ，２１ｂ        可動板
２６，２６ａ〜２６ｃ        囲壁部
２７，２７ａ，２７ｂ        囲壁部
２８                        軸筒部
【図１】
0004344415.tif 000002
【図２】
0004344415.tif 000003
【図３】
0004344415.tif 000004
【図４】
0004344415.tif 000005
【図５】
0004344415.tif 000006
【図６】
0004344415.tif 000007
【図７】
0004344415.tif 000008
【図８】
0004344415.tif 000009
【図９】
0004344415.tif 000010
【図１０】
0004344415.tif 000011
【図１１】
0004344415.tif 000012